(57)【要約】【課題】報知指示に基づく収集データを効率良く収集することで、データの収集に掛かる時間を短縮する報知システムを構成する中継ノードを提供する。【解決手段】中継ノードは、操作制御ノードの送信した報知指示の上位ノードからの受信に基づいて、自ノードの配下に繋がる下位ノードに報知指示を中継する。また中継ノードは、報知指示に基づく報知制御に関する収集データを、全ての下位ノードから収集したかを判定する。中継ノードは、全ての下位ノードから収集データを収集した場合であって上位ノードが他のノードと通信していない場合に、収集データを上位ノードへ転送する。【選択図】図１
2019161581.tif 000002
【特許請求の範囲】
【請求項１】
操作制御ノードの送信した報知指示の上位ノードからの受信に基づいて、自ノードの配下に繋がる下位ノードに前記報知指示を中継する中継部と、
前記報知指示に基づく報知制御に関する収集データを、全ての前記下位ノードから収集したかを判定する収集結果判定部と、
前記全ての下位ノードから前記収集データを収集した場合であって上位ノードが他のノードと通信していない場合に、前記収集データを前記上位ノードへ転送する収集データ転送部と、
を備える報知システムを構成する中継ノード。
【請求項２】
前記収集データ転送部は、前記上位ノードとの通信に使用する通信周波数の電波強度、又は、前記上位ノードからの通知に基づいて、前記上位ノードが他のノードと通信していないかを判定する、
請求項１に記載の中継ノード。
【請求項３】
前記中継部は、通信周波数が異なる上位ノードと並行してそれぞれの下位ノードから前記収集データを収集する
請求項１または請求項２に記載の中継ノード。
【請求項４】
前記報知システムは、親局無線装置からの指示に基づき子局が防災に関する放送を行う防災無線システムであり、
前記操作制御ノードが、操作卓であって、
前記中継ノードが、前記親局無線装置と前記子局との無線通信を中継する中継局である
請求項１から請求項３いずれかに記載の中継ノード。
【請求項５】
前記中継部は、前記親局無線装置と異なる通信周波数で前記下位ノードと無線通信する
請求項４に記載の中継ノード。
【請求項６】
親ノードと、複数の子ノードと、前記親ノードと前記子ノードとの通信を中継する１又は複数の中継ノードとを備える報知システムであって、
前記中継ノードは、
操作制御ノードの送信した報知指示の上位ノードからの受信に基づいて、自ノードの配下に繋がる下位ノードに前記報知指示を中継する中継部と、
前記報知指示に基づく報知制御に関する収集データを、全ての前記下位ノードから収集したかを判定する収集結果判定部と、
前記全ての下位ノードから前記収集データを収集した場合であって上位ノードが他のノードと通信していない場合に、前記収集データを前記上位ノードへ転送する収集データ転送部と、
を備える報知システム。
【請求項７】
前記収集データ転送部は、前記上位ノードとの通信に使用する通信周波数の電波強度、又は、前記上位ノードからの通知に基づいて、前記上位ノードが他のノードと通信していないかを判定する、請求項６に記載の報知システム。
【請求項８】
前記中継ノードは、通信周波数が異なる前記親ノード又は他の前記中継ノードと並行してそれぞれの下位ノードから前記収集データを収集する請求項６または請求項７に記載の報知システム。
【請求項９】
報知システムを構成する中継ノードにおける報知方法であって、
操作制御ノードの送信した報知指示の上位ノードからの受信に基づいて、自ノードの配下に繋がる下位ノードに前記報知指示を中継し、
前記報知指示に基づく報知制御に関する収集データを、全ての前記下位ノードから収集したかを判定し、
前記全ての下位ノードから前記収集データを収集した場合であって上位ノードが他のノードと通信していない場合に、前記収集データを前記上位ノードへ転送する
報知方法。
【請求項１０】
報知システムを構成する中継ノードのコンピュータを、
操作制御ノードの送信した報知指示の上位ノードからの受信に基づいて、自ノードの配下に繋がる下位ノードに前記報知指示を中継する中継手段、
前記報知指示に基づく報知制御に関する収集データを、全ての前記下位ノードから収集したかを判定する収集結果判定手段、
前記全ての下位ノードから前記収集データを収集した場合であって上位ノードが他のノードと通信していない場合に、前記収集データを前記上位ノードへ転送する収集データ転送手段、
として機能させるプログラム。
【発明の詳細な説明】
【技術分野】
【０００１】
本発明は、中継ノード、報知システム、報知方法及びプログラムに関する。
【背景技術】
【０００２】
防災などの目的で用いる無線通信システムの一例が特許文献１に記載されている。特許文献１に記載のシステムは、親局が中継局を介して子局からポーリング応答を収集するシステムであって、以下のように動作する。中継局にポーリング応答の返送に必要として予め設定した時間だけ中継可能にする中継動作制御手段を設ける。子局は、自局宛のポーリング指令を検出した時、中継指令を付加することなくポーリング応答を該中継局に送出する。中継局は、中継動作可能状態にある時に受信したポーリング応答を、そのまま親局に中継する。これにより、ポーリング応答の収集時間を短縮し、且つ混信による誤動作の減少を図る。
【０００３】
また、特許文献２には、親局と複数の子局に対して、親局からの信号を子局に対して中継する下り中継手段と子局からの信号を親局に対して中継する上り中継手段とを有する中継局を備え、親局からのアンサーバック指令信号に応じて各子局がアンサーバック信号を返送するディジタルセルコール中継方式の無線システムが記載されている。当該特許文献１における無線システムは、中継局における上り中継手段における中継方式をスケルチ中継方式とするとともに、中継局に、タイマを設けて、親局からのアンサーバック指令信号受信から一定時間動作させる。また当該無線システムは、中継制御手段を設けて、タイマの動作時のみ上り中継手段をイネーブルにする。これにより、ディジタルセルコール方式におけるアンサーバック返送時の中継方式に関し、アンサーバックの時間を短縮し混信による誤動作を防止する。
【０００４】
また、特許文献３には、互いに異なる通信エリアを有する少なくとも第１と第２の防災無線システムを有し、第１の防災無線システムは、統括基地局と統括基地局と無線通信で結合される複数の子局を有する。特許文献３において第２の防災無線システムは、基地局と基地局と無線通信で結合される複数の子局を有し、統括基地局の通信エリア内に第２の防災無線システムの基地局と通信できる伝送路を備えた中継無線設備を有する。そして中継無線設備は、統括基地局からの無線通信情報を基地局に伝送するように構成される無線通信システムが記載されている。これにより、市区町村の合併などが行われ、２つ以上の異なる市区町村や地区の防災システムを簡単に統合できる。
【先行技術文献】
【特許文献】
【０００５】
【特許文献１】特開平５−１８３４７８号公報
【特許文献２】特開平５−１２２１３４号公報
【特許文献３】特開２００８−１７２８３９号公報
【発明の概要】
【発明が解決しようとする課題】
【０００６】
しかしながら、防災などの目的で用いる無線通信システムは、回線帯域が狭いことが多い。例えば、１６ＱＡＭ（Ｑｕａｄｒａｔｕｒｅ  Ａｍｐｌｉｔｕｄｅ  Ｍｏｄｕｌａｔｉｏｎ）方式では４５ｋｂｐｓ（ｂｉｔｓ  ｐｅｒ  ｓｅｃｏｎｄ）であり、市町村デジタル同報通信システムＴＹＰＥ２では９．６ｋｂｐｓである。特許文献１〜３に記載の技術では、１局ずつ順番にポーリングにより子局からデータを収集する仕組みになっているため、ポーリングによるデータの収集に時間が掛かっていた。
【０００７】
そこでこの発明は、上述した課題を解決する中継ノード、報知システム、報知方法及びプログラムを提供することを目的としている。
【課題を解決するための手段】
【０００８】
本発明は、上述の課題を解決すべくなされたもので、操作制御ノードの送信した報知指示の上位ノードからの受信に基づいて、自ノードの配下に繋がる下位ノードに前記報知指示を中継する中継部と、前記報知指示に基づく報知制御に関する収集データを、全ての前記下位ノードから収集したかを判定する収集結果判定部と、前記全ての下位ノードから前記収集データを収集した場合であって上位ノードが他のノードと通信していない場合に、前記収集データを前記上位ノードへ転送する収集データ転送部と、を備える報知システムを構成する中継ノードである。
【０００９】
また、本発明は、親ノードと、複数の子ノードと、前記親ノードと前記子ノードとの通信を中継する１又は複数の中継ノードとを備える報知システムであって、前記中継ノードは、操作制御ノードの送信した報知指示の上位ノードからの受信に基づいて、自ノードの配下に繋がる下位ノードに前記報知指示を中継する中継部と、前記報知指示に基づく報知制御に関する収集データを、全ての前記下位ノードから収集したかを判定する収集結果判定部と、前記全ての下位ノードから前記収集データを収集した場合であって上位ノードが他のノードと通信していない場合に、前記収集データを前記上位ノードへ転送する収集データ転送部と、を備える報知システムである。
【００１０】
また、本発明は、報知システムを構成する中継ノードにおける報知方法であって、操作制御ノードの送信した報知指示の上位ノードからの受信に基づいて、自ノードの配下に繋がる下位ノードに前記報知指示を中継し、前記報知指示に基づく報知制御に関する収集データを、全ての前記下位ノードから収集したかを判定し、前記全ての下位ノードから前記収集データを収集した場合であって上位ノードが他のノードと通信していない場合に、前記収集データを前記上位ノードへ転送する報知方法である。
【００１１】
また、本発明は、報知システムを構成する中継ノードのコンピュータを、操作制御ノードの送信した報知指示の上位ノードからの受信に基づいて、自ノードの配下に繋がる下位ノードに前記報知指示を中継する中継手段、前記報知指示に基づく報知制御に関する収集データを、全ての前記下位ノードから収集したかを判定する収集結果判定手段、前記全ての下位ノードから前記収集データを収集した場合であって上位ノードが他のノードと通信していない場合に、前記収集データを前記上位ノードへ転送する収集データ転送手段、  として機能させるプログラムである。
【発明の効果】
【００１２】
本発明によれば、報知指示に基づく収集データを効率良く収集することで、データの収集に掛かる時間を短縮するという効果が得られる。
【図面の簡単な説明】
【００１３】
【図１】本発明の一実施形態による防災無線システムの構成を示す図である。
【図２】本実施形態による操作卓のハードウェア構成図である。
【図３】本実施形態による操作卓の機能ブロック図である。
【図４】本実施形態による親局無線装置のハードウェア構成図である。
【図５】本実施形態による親局無線装置の機能ブロック図である。
【図６】本実施形態による中継局のハードウェア構成図である。
【図７】本実施形態による中継局の機能ブロック図である。
【図８】本実施形態による再送信子局のハードウェア構成図である。
【図９】本実施形態による再送信子局の機能ブロック図である。
【図１０】本実施形態による子局のハードウェア構成図である。
【図１１】本実施形態による子局の機能ブロック図である。
【図１２】本実施形態による防災無線システムの処理の動作を示すシーケンス図である。
【図１３】本実施形態による中継局の処理フローを示す図である。
【図１４】本実施形態による中継局の最小構成を示す図である。
【発明を実施するための形態】
【００１４】
以下、本発明の一実施形態による報知システムの一例である防災無線システム１００を図面を参照して説明する。
図１は、本実施形態による防災無線システム１００の構成を示す図である。
防災無線システム１００は、操作卓１と、親局無線装置２−１，２−２と、中継局３と、再送信子局４と、子局５−１１〜５−１Ｎ（Ｎは正の整数），５−２１〜５−２Ｍ（Ｍは正の整数），５−２３１〜５−２３Ｌ（Ｌは正の整数），５−２３４１〜５−２３４Ｋ（Ｋは正の整数）とを備える。なお、以下の説明において、親局無線装置２−１，２−２を特に区別しない場合には、親局無線装置２と称する。また、この図において、子局５−１１〜５−１Ｎ，５−２１〜５−２Ｍ，５−２３１〜５−２３Ｌ，５−２３４１〜５−２３４Ｋを特に区別しない場合には、子局５と称する。
【００１５】
防災無線システム１００は、操作卓１に入力された防災に関する防災情報を、親局無線装置２からの指示に基づき子局５が放送するシステムである。放送内容は、例えば警告用サイレン、音声による防災情報等である。
【００１６】
防災無線システム１００のネットワークは、各ノードが階層構造になっている。ここで、操作卓１が最上位ノードである。また、親局無線装置２が操作卓１の次の上位ノードである。また、子局が最下位ノードである。中継局３及び再送信子局４は、親局無線装置２と子局５との間にある中継ノードである。各ノードは、自ノードの上位ノード及び自ノードの配下に繋がる下位ノードと無線通信する。
【００１７】
図示する例では、操作卓１の配下に繋がる下位ノードは、親局無線装置２−１及び親局無線装置２−２である。また、親局無線装置２−１の上位ノードは操作卓１であり、下位ノードは子局５−１１〜５−１Ｎである。また、子局５−１１〜５−１Ｎの上位ノードは親局無線装置２−１である。また、親局無線装置２−２の上位ノードは操作卓１であり、下位ノードは中継局３及び子局５−２１〜５−２Ｍである。また、子局５−２１〜５−２Ｍの上位ノードは親局無線装置２−２である。また、中継局３の上位ノードは親局無線装置２−２であり、下位のノードは再送信子局４及び子局５−２３１〜５−２３Ｌである。また、子局５−２３１〜５−２３Ｌの上位ノードは中継局３である。また、再送信子局４の上位ノードは中継局３であり、下位ノードは子局５−２３４１〜５−２３４Ｋである。また、子局５−２３４１〜５−２３４Ｋの上位ノードは再送信子局４である。
【００１８】
なお、本実施形態では、中継局３が親局無線装置２−２の下位ノードであり、再送信子局４が中継局３の下位ノードである場合を例示しているが、これに限らず、中継局３及び再送信子局４は、防災無線システム１００のネットワークにおいて親局無線装置２と子局５との間に配置されていれば、どの位置に配置されていてもよい。また、本実施形態では、中継局３及び再送信子局４を１台ずつ示しているが、これに限らず、中継局３及び再送信子局４はそれぞれ複数台あってもよい。
【００１９】
また、ネットワークにおける各階層で使用する無線通信の通信周波数は異なるものであってもよい。本実施形態では、親局無線装置２が下位ノードと無線通信する通信周波数と、中継局３が下位ノードと無線通信する通信周波数と、再送信子局４が下位ノードと無線通信する通信周波数とがそれぞれ異なる場合について説明する。
【００２０】
操作卓１は、防災無線システム１００を統括して制御するコンピュータである。操作卓１は、音声を含む防災情報が入力されると、入力された防災情報を親局無線装置２に送信する。
【００２１】
親局無線装置２は、例えば自治体等の地域毎に設置されるコンピュータである。親局無線装置２は、操作卓１から防災情報を受信すると、受信した防災情報を自ノートの配下に繋がる下位ノードへ転送する。
【００２２】
中継局３は、親局無線装置２（上位ノード）と子局５（下位ノード）との通信を中継する中継装置である。中継局３は、操作卓１が送信した防災情報を上位ノードから受信すると、受信した防災情報を自ノードの配下に繋がる下位ノードに送信して中継する。
【００２３】
再送信子局４は、子局５の機能を有する中継局３である。すなわち、再送信子局４は、操作卓１が送信した防災情報を上位ノードから受信すると、受信した防災情報を自ノードの配下に繋がる下位ノードに送信して中継するとともに、受信した防災情報を放送する。
【００２４】
子局５は、屋外拡声子局又は個別受信機である。子局５は、操作卓１が送信した防災情報を上位ノードから受信すると、受信した防災情報に含まれる音声を放送する。例えば、屋外拡声子局は、屋外に固定的に設置され拡声器で放送を行う。また、戸別受信機は、各家庭、事業所などに設置され、同様に放送を行う。
【００２５】
図２は、本実施形態による操作卓１のハードウェア構成図である。
この図が示すように、操作卓１はＣＰＵ（Central Processing Unit）１０１、ＲＯＭ（Read Only Memory）１０２、ＲＡＭ（Random Access Memory）１０３、大容量記憶装置１０４、通信モジュール１０５、入力モジュール１０６等の各ハードウェアを備えたコンピュータである。入力モジュール１０６は、マウス、タッチパネル、キーボード等であり、これらを複数または全て備えていてもよい。
【００２６】
図３は、本実施形態による操作卓１の機能ブロック図である。
操作卓１は電源が投入されると起動し、予め記憶する動作プログラムを実行する。これにより操作卓１には、制御部１１、記憶部１２、通信部１３、入力部１４の機能構成を備える。
【００２７】
制御部１１は、操作卓１を統括して制御する。例えば、制御部１１は、入力部１４から入力された防災情報を通信部１３から親局無線装置２に送信する。また、子局５における防災情報の放送の結果の報知を指示する報知指示を通信部１３から親局無線装置２に送信する。
記憶部１２は、種々の情報を記憶する。例えば、記憶部１２は、各子局５の位置情報、子局５へ送信する情報、子局５の種類、防災無線システム１００のネットワーク構成等を記憶する。
通信部１３は、親局無線装置２と通信する。
入力部１４は、防災情報等の入力を受け付ける。
【００２８】
図４は、本実施形態による親局無線装置２のハードウェア構成図である。
この図が示すように、親局無線装置２はＣＰＵ２０１、ＲＯＭ２０２、ＲＡＭ２０３、大容量記憶装置２０４、通信モジュール２０５等の各ハードウェアを備えたコンピュータである。
【００２９】
図５は、本実施形態による親局無線装置２の機能ブロック図である。
親局無線装置２は電源が投入されると起動し、予め記憶する動作プログラムを実行する。これにより親局無線装置２には、制御部２１、記憶部２２、通信部２３、中継部２４、収集結果判定部２５、収集データ転送部２６の機能構成を備える。
【００３０】
制御部２１は、親局無線装置２を統括して制御する。
記憶部２２は、種々の情報を記憶する。例えば、記憶部２２は、自身の配下に位置する下位ノードに関する情報を記憶する。
通信部２３は、上位ノードである操作卓１又は下位ノードと無線通信する。
【００３１】
中継部２４は、操作卓１と自身の配下に位置する下位ノードとの通信を中継する。具体的には、中継部２４は、操作卓１から受信した防災情報を下位ノードへ転送する。また、中継部２４は、操作卓１から受信した報知指示を下位ノードへ転送する。
収集結果判定部２５は、報知指示に基づく報知制御に関する収集データを、全ての下位ノードから収集したかを判定する。収集データは、子局５又は再送信子局４における防災情報の放送結果を示す。具体的には、収集データには、放送ができたことを示す「正常」や、機器の故障等により放送できなかったことを示す「異常」等が格納されている。
収集データ転送部２６は、全ての下位ノードから収集データを収集した場合に、収集データを操作卓１へ転送する。
【００３２】
図６は、本実施形態による中継局３のハードウェア構成図である。
この図が示すように、中継局３はＣＰＵ３０１、ＲＯＭ３０２、ＲＡＭ３０３、大容量記憶装置３０４、通信モジュール３０５等の各ハードウェアを備えたコンピュータである。
【００３３】
図７は、本実施形態による中継局３の機能ブロック図である。
中継局３は電源が投入されると起動し、予め記憶する動作プログラムを実行する。これにより中継局３には、制御部３１、記憶部３２、通信部３３、中継部３４、収集結果判定部３５、収集データ転送部３６の機能構成を備える。
【００３４】
制御部３１は、中継局３を統括して制御する。
記憶部３２は、種々の情報を記憶する。例えば、記憶部３２は、自身の配下に位置する下位ノードに関する情報を記憶する。
通信部３３は、上位ノード又は下位ノードと無線通信する。
【００３５】
中継部３４は、上位ノードと自身の配下に位置する下位ノードとの通信を中継する。具体的には、中継部３４は、上位ノードから受信した防災情報を下位ノードへ転送する。また、中継部３４は、上位ノードから受信した報知指示を下位ノードへ転送する。そして、中継部３４は、通信周波数が異なる上位ノードと並行してそれぞれの下位ノードから収集データを収集する。なお、中継部３４は、親局無線装置２と異なる通信周波数で下位ノードと無線通信する。
収集結果判定部３５は、報知指示に基づく報知制御に関する収集データを、全ての下位ノードから収集したかを判定する。
収集データ転送部３６は、全ての下位ノードから収集データを収集した場合であって上位ノードが他のノードと通信していない場合に、下位ノードから収集した全ての収集データとを上位ノードへ転送する。ここで、収集データ転送部３６は、上位ノードとの通信に使用する通信周波数の電波強度、又は、上位ノードからの通知のうちいずれか又は両方に基づいて、上位ノードが他のノードと通信していないかを判定する。
【００３６】
図８は、本実施形態による再送信子局４のハードウェア構成図である。
この図が示すように、再送信子局４はＣＰＵ４０１、ＲＯＭ４０２、ＲＡＭ４０３、大容量記憶装置４０４、通信モジュール４０５、スピーカ４０６等の各ハードウェアを備えたコンピュータである。
【００３７】
図９は、本実施形態による再送信子局４の機能ブロック図である。
再送信子局４は電源が投入されると起動し、予め記憶する動作プログラムを実行する。これにより再送信子局４には、制御部４１、記憶部４２、通信部４３、中継部４４、収集結果判定部４５、収集データ転送部４６、放送部４７、異常検出部４８、収集データ生成部４９の機能構成を備える。
【００３８】
制御部４１は、再送信子局４を統括して制御する。
記憶部４２は、種々の情報を記憶する。例えば、記憶部４２は、自身の配下に位置する下位ノードに関する情報を記憶する。
通信部４３は、上位ノード又は下位ノードと無線通信する。
【００３９】
中継部４４は、上位ノードと自身の配下に位置する下位ノードとの通信を中継する。具体的には、中継部４４は、上位ノードから受信した防災情報を下位ノードへ転送する。また、中継部４４は、上位ノードから受信した報知指示を下位ノードへ転送する。そして、中継部４４は、通信周波数が異なる上位ノードと並行してそれぞれの下位ノードから収集データを収集する。なお、中継部４４は、上位ノードと異なる通信周波数で下位ノードと無線通信する。
収集結果判定部４５は、報知指示に基づく報知制御に関する収集データを、全ての下位ノードから収集したかを判定する。
収集データ転送部４６は、全ての下位ノードから収集データを収集した場合であって上位ノードが他のノードと通信していない場合に、収集データ生成部４９が生成した収集データと下位ノードから収集した全ての収集データとを上位ノードへ転送する。ここで、収集データ転送部４６は、上位ノードとの通信に使用する通信周波数の電波強度、又は、上位ノードからの通知のうちいずれか又は両方に基づいて、上位ノードが他のノードと通信していないかを判定する。
【００４０】
放送部４７は、上位ノードから受信した防災情報を放送する。
異常検出部４８は、放送部４７における放送の異常を検出する。
収集データ生成部４９は、上位ノードからの報知指示の受信に基づいて、放送部４７における防災情報の放送結果を示す収集データを生成する。例えば、収集データ生成部４９は、異常検出部４８が異常を検出していない場合には、「正常」を示す収集データを生成する。また、収集データ生成部４９は、異常検出部４８が異常を検出した場合には、「異常」を示す収集データを生成する。
【００４１】
図１０は、本実施形態による子局５のハードウェア構成図である。
この図が示すように、子局５はＣＰＵ５０１、ＲＯＭ５０２、ＲＡＭ５０３、大容量記憶装置５０４、通信モジュール５０５、スピーカ５０６等の各ハードウェアを備えたコンピュータである。
【００４２】
図１１は、本実施形態による子局５の機能ブロック図である。
子局５は電源が投入されると起動し、予め記憶する動作プログラムを実行する。これにより子局５には、制御部５１、記憶部５２、通信部５３、放送部５４、異常検出部５５、収集データ生成部５６、収集データ送信部５７の機能構成を備える。
【００４３】
制御部５１は、子局５を統括して制御する。
記憶部５２は、種々の情報を記憶する。
通信部５３は、上位ノードと無線通信する。
【００４４】
放送部５４は、上位ノードから受信した防災情報を放送する。
異常検出部５５は、放送部５４における放送の異常を検出する。
収集データ生成部５６は、上位ノードからの報知指示の受信に基づいて、放送部５４における防災情報の放送結果を示す収集データを生成する。例えば、収集データ生成部５６は、異常検出部５５が異常を検出していない場合には、「正常」を示す収集データを生成する。また、収集データ生成部５６は、異常検出部５５が異常を検出した場合には、「異常」を示す収集データを生成する。
収集データ送信部５７は、収集データ生成部５６が生成した収集データを上位ノードへ送信する。
【００４５】
続いて、本実施形態における防災無線システム１００の動作について説明する。
操作卓１は、防災情報を送信した後、当該防災情報の放送結果を要求する報知指示を親局無線装置２に送信する。親局無線装置２−１は、操作卓１からの報知指示の受信に基づいて、受信した報知指示を転送して子局５−１１〜５〜１Ｎから収集データをポーリングにより順に収集する。また、親局無線装置２−２は、操作卓１からの報知指示の受信に基づいて、受信した報知指示を下位ノードの中継局３へ転送する。その後、親局無線装置２−２は、受信した報知指示を転送して子局５−２１〜５〜２Ｍから収集データをポーリングにより順に収集する。
【００４６】
中継局３は、親局無線装置２−２からの報知指示の受信に基づいて、受信した報知指示を再送信子局４へ転送する。その後、中継局３は、受信した報知指示を転送して子局５−２３１〜５−２３Ｌから収集データをポーリングにより順に収集する。再送信子局４は、中継局３からの報知指示の受信に基づいて、自身の収集データを生成するとともに、受信した報知指示を転送して子局５−２３４１〜５−２３４Ｋから収集データをポーリングにより順に収集する。
【００４７】
親局無線装置２−２と、中継局３と、再送信子局４とは、その下位ノードとの通信周波数が異なる。そのため、親局無線装置２−２と、中継局３と、再送信子局４とは、並行して略同時にそれぞれの下位ノードの子局５から収集データを収集することができる。
【００４８】
再送信子局４は、子局５−２３４１〜５−２３４Ｋ全てから収集データを収集すると、上位ノードである中継局３が他の下位ノードと通信していない場合に、自身の収集データとともに、子局５−２３４１〜５−２３４Ｋから収集した全ての収集データを中継局３に転送する。中継局３は、再送信子局４及び子局５−２３１〜５−２３Ｌ全てから収集データを収集すると、上位ノードである親局無線装置２−２が他の下位ノードと通信していない場合に、収集した全ての収集データを親局無線装置２−２に転送する。このように、再送信子局４及び中継局３は、上位ノードが他の下位ノードと通信していない場合に、収集した全ての収集データを転送しているため、例えば、ポーリングの順番を待つことなく収集データを上位ノードに送信することができる。すなわち、再送信子局４及び中継局３は、より早く収集データを上位ノードに送信することができる。よって、無線通信における輻輳の発生を防ぎ、効率的な収集ができる。つまり再送信子局４及び中継局３等の中継ノードは、ポーリングによるデータの収集に時間が掛かる上、回線の占有時間が長くなってしまうという課題を解決することができる。
【００４９】
また、再送信子局４及び中継局３は、上位ノードとの通信に使用する通信周波数の電波強度又は上位ノードからの通知、或いはその両方に基づいて、上位ノードが他の下位ノードと通信していないかを判定する。例えば、再送信子局４及び中継局３は、通信周波数の電波強度が所定の閾値より大きい場合に、上位ノードが他の下位ノードと通信していないと判定する。或いは、他の下位ノードと通信中であることを示す通知を上位ノードから受信した場合に、上位ノードが他の下位ノードと通信していると判定する。これにより、再送信子局４及び中継局３は、上位ノードが他の下位ノードと通信していないことを精度良く判定することができる。
【００５０】
親局無線装置２は、全ての下位ノードから収集データを収集した場合に、収集したデータを操作卓１に転送する。これにより、操作卓１に全ての子局５における放送結果を集約することができる。
【００５１】
次に防災無線システム１００の処理フローについて順を追って説明する。
図１２は、本実施形態による防災無線システム１００の処理の動作を示すシーケンス図である。本図には、子局５から収集データを収集する場合における操作卓１、親局無線装置２−２、中継局３及び再送信子局４の動作の一例を示す。
【００５２】
まず、ステップＳ１０１において、操作卓１が報知指示を親局無線装置２−２に送信する。
ステップＳ１０２において、親局無線装置２−２は、受信した報知指示を中継局３に転送する。
その後、ステップＳ１０３において、親局無線装置２−２は、ポーリングにより順に下位ノードの子局５から収集データを収集する。
【００５３】
ステップＳ１０４において、中継局３は、親局無線装置２−２から受信した報知指示を再送信子局４に転送する。
その後、ステップＳ１０５において、中継局３は、ポーリングにより順に下位ノードの子局５から収集データを収集する。
【００５４】
ステップＳ１０６において、再送信子局４は、中継局３からの報知指示の受信に基づいて、ポーリングにより順に下位ノードの子局５から収集データを収集する。
ステップＳ１０７において、再送信子局４は、全ての下位ノードの子局５から収集データを収集したか否かを判定する。再送信子局４は、全ての下位ノードから収集データを収集していない場合（ステップＳ１０７：ＮＯ）には、ステップＳ１０７の処理を再度実行する。
【００５５】
また、再送信子局４は、全ての下位ノードから収集データを収集した場合（ステップＳ１０７：ＹＥＳ）には、ステップＳ１０８において、中継局３が他のノードと通信していないかを判定する。再送信子局４は、中継局３が他のノードと通信している場合（ステップＳ１０８：ＮＯ）には、ステップＳ１０８の処理を再度実行する。
【００５６】
また、再送信子局４は、中継局３が他のノードと通信していない場合（ステップＳ１０８：ＹＥＳ）には、ステップＳ１０９において、自身の収集データとともに子局５から収集した全ての収集データを中継局３に送信する。
【００５７】
ステップＳ１１０において、中継局３は、全ての下位ノードから収集データを収集したか否かを判定する。中継局３は、全ての下位ノードから収集データを収集していない場合（ステップＳ１１０：ＮＯ）には、ステップＳ１１０の処理を再度実行する。
【００５８】
また、中継局３は、全ての下位ノードから収集データを収集した場合（ステップＳ１１０：ＹＥＳ）には、ステップＳ１１１において、親局無線装置２−２が他のノードと通信していないかを判定する。中継局３は、親局無線装置２−２が他のノードと通信している場合（ステップＳ１１１：ＮＯ）には、ステップＳ１１１の処理を再度実行する。
また、中継局３は、親局無線装置２−２が他のノードと通信していない場合（ステップＳ１１１：ＹＥＳ）には、ステップＳ１１２において、収集した全ての収集データを親局無線装置２−２に送信する。
【００５９】
ステップＳ１１３において、親局無線装置２−２は、全ての下位ノードから収集データを収集したか否かを判定する。親局無線装置２−２は、全ての下位ノードから収集データを収集していない場合（ステップＳ１１３：ＮＯ）には、ステップＳ１１３の処理を再度実行する。
【００６０】
また、親局無線装置２−２は、全ての下位ノードから収集データを収集した場合（ステップＳ１１３：ＹＥＳ）には、ステップＳ１１４において、収集した全ての収集データを操作卓１に転送する。
【００６１】
図１３は、本実施形態による中継局３の処理フローを示す図である。本図には、操作卓１の送信した報知指示を中継局３が受信したときに実行する処理を示す。
【００６２】
ステップＳ２０１において、通信部３３は、操作卓１の送信した報知指示を上位ノードから受信する。その後、ステップＳ２０２の処理に進む。
ステップＳ２０２において、中継部３４は、受信した報知指示を転送して、下位ノードから収集データを収集する。すなわち、中継部３４は、受信した報知指示を自ノードの配下に繋がる下位ノードに中継する。具体的には、中継部３４は、受信した報知指示を再送信子局４に転送する。そして、中継部３４は、自ノードの配下に繋がる子局５に報知指示を転送してポーリングにより順に収集データを収集する。その後、ステップＳ２０３の処理に進む。
【００６３】
ステップＳ２０３において、収集結果判定部３５は、収集データを全ての下位ノードから収集したか否かを判定する。全ての下位ノードから収集データを収集したと判定した場合（ステップＳ２０３：ＹＥＳ）には、ステップＳ２０４の処理に進む。また、全ての下位ノードから収集データを収集していないと判定した場合（ステップＳ２０４：ＮＯ）には、ステップＳ２０３の処理を再度実行する。
【００６４】
ステップＳ２０４において、収集データ転送部３６は、上位ノードが他のノードと通信していないか否かを判定する。上位ノードが他のノードと通信していないと判定した場合（ステップＳ２０４：ＹＥＳ）には、ステップ２０５の処理に進む。また、上位ノードが他のノードと通信していると判定した場合（ステップＳ２０４：ＮＯ）には、ステップＳ２０４の処理を再度実行する。
【００６５】
ステップＳ２０５において、収集データ転送部３６は、収集データを上位ノードへ転送する。その後、処理を終了する。
【００６６】
図１４は、本実施形態による中継局３の最小構成を示す図である。本実施形態による中継局３は少なくとも中継部３４、収集結果判定部３５、収集データ転送部３６の構成を備えればよい。
中継部３４は、操作卓１の送信した報知指示の上位ノードからの受信に基づいて、自ノードの配下に繋がる下位ノードに報知指示を中継する。
収集結果判定部３５は、報知指示に基づく報知制御に関する収集データを、全ての下位ノードから収集したかを判定する。
収集データ転送部３６は、全ての下位ノードから収集データを収集した場合であって上位ノードが他のノードと通信していない場合に、収集データを上位ノードへ転送する。
【００６７】
上述したとおり、本実施形態における防災無線システム１００は、親局無線装置２と、複数の子局５と、親局無線装置２と子局５との通信を中継する１又は複数の中継局３とを備える報知システムであって、中継局３は、操作卓１の送信した報知指示の上位ノードからの受信に基づいて、自ノードの配下に繋がる下位ノードに報知指示を中継する中継部３４と、報知指示に基づく報知制御に関する収集データを、全ての下位ノードから収集したかを判定する収集結果判定部３５と、全ての下位ノードから収集データを収集した場合であって上位ノードが他のノードと通信していない場合に、収集データを上位ノードへ転送する収集データ転送部３６と、を備える。
【００６８】
このような構成により、中継局３は、全ての下位ノードから収集データを収集した場合であって上位ノードが他のノードと通信していない場合に、下位ノードから収集した全ての収集データを上位ノードへ転送する。これにより、中継局３は、全ての収集データを収集した後に、ポーリングの順番を待つことなく収集データを上位ノードに送信することができる。また、無線通信において輻輳の発生を防ぐことができる。よって、防災無線システム１００は、報知指示に基づく収集データを効率良く収集することで、データの収集に掛かる時間を短縮することができる。
【００６９】
また、収集データ転送部３６は、上位ノードとの通信に使用する通信周波数の電波強度、又は、上位ノードからの通知に基づいて、上位ノードが他のノードと通信していないかを判定する。これにより、中継局３は、上位ノードが他のノードと通信していないかを精度良く判定することができる。
【００７０】
また、通信周波数の異なる中継局３、再送信子局４及び親局無線装置２は、並行して略同時にそれぞれの子局５から収集データを収集する。これにより、１局ずつ順にデータを収集する必要がなくなる。よって、報知指示に基づく収集データを効率良く収集することで、データの収集に掛かる時間を短縮することができる。
【００７１】
上述の操作卓１、親局無線装置２、中継局３、再送信子局４及び子局５は内部に、コンピュータシステムを有している。そして、上述した操作卓１、親局無線装置２、中継局３、再送信子局４及び子局５の処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００７２】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００７３】
以上、本発明の実施形態について説明したが、本発明は、上記実施形態に限定されるものではなく、本発明の趣旨を逸脱しない範囲において種々の変更を加えることが可能である。
【００７４】
例えば、上述した実施形態では、報知システムが防災無線システム１００である場合を例に説明したが、これに限らず、階層構造になっているネットワークシステムであって回線帯域が狭い他のシステムにおいても、下位ノードからデータを収集するときに本発明を適用することができる。
【００７５】
上記の実施形態の一部又は全部は、以下の付記のようにも記載されうるが、以下には限られない。
【００７６】
（付記１）操作制御ノードの送信した報知指示の上位ノードからの受信に基づいて、自ノードの配下に繋がる下位ノードに前記報知指示を中継する中継部と、前記報知指示に基づく報知制御に関する収集データを、全ての前記下位ノードから収集したかを判定する収集結果判定部と、前記全ての下位ノードから前記収集データを収集した場合であって上位ノードが他のノードと通信していない場合に、前記収集データを前記上位ノードへ転送する収集データ転送部と、を備える報知システムを構成する中継ノード。
【００７７】
（付記２）前記収集データ転送部は、前記上位ノードとの通信に使用する通信周波数の電波強度、又は、前記上位ノードからの通知に基づいて、前記上位ノードが他のノードと通信していないかを判定する、付記１に記載の中継ノード。
【００７８】
（付記３）前記中継部は、通信周波数が異なる上位ノードと並行してそれぞれの下位ノードから前記収集データを収集する付記１または付記２に記載の中継ノード。
【００７９】
（付記４）前記報知システムは、親局無線装置からの指示に基づき子局が防災に関する放送を行う防災無線システムであり、前記操作制御ノードが、操作卓であって、前記中継ノードが、前記親局無線装置と前記子局との無線通信を中継する中継局である付記１から付記３いずれかに記載の中継ノード。
【００８０】
（付記５）前記中継部は、前記親局無線装置と異なる通信周波数で前記下位ノードと無線通信する付記４に記載の中継ノード。
【００８１】
（付記６）親ノードと、複数の子ノードと、前記親ノードと前記子ノードとの通信を中継する１又は複数の中継ノードとを備える報知システムであって、前記中継ノードは、操作制御ノードの送信した報知指示の上位ノードからの受信に基づいて、自ノードの配下に繋がる下位ノードに前記報知指示を中継する中継部と、前記報知指示に基づく報知制御に関する収集データを、全ての前記下位ノードから収集したかを判定する収集結果判定部と、前記全ての下位ノードから前記収集データを収集した場合であって上位ノードが他のノードと通信していない場合に、前記収集データを前記上位ノードへ転送する収集データ転送部と、を備える報知システム。
【００８２】
（付記７）前記収集データ転送部は、前記上位ノードとの通信に使用する通信周波数の電波強度、又は、前記上位ノードからの通知に基づいて、前記上位ノードが他のノードと通信していないかを判定する、付記６に記載の報知システム。
【００８３】
（付記８）前記中継ノードは、通信周波数が異なる前記親ノード又は他の前記中継ノードと並行してそれぞれの下位ノードから前記収集データを収集する付記６または付記７に記載の報知システム。
【００８４】
（付記９）前記操作制御ノードが、操作卓であって、前記親ノードが、親局無線装置であり、前記子ノードが、子局であり、前記中継ノードが、前記親局無線装置と前記子局との無線通信を中継する中継局であり、前記親局無線装置からの指示に基づき前記子局が防災に関する放送を行う防災無線システムである付記６から付記８いずれかに記載の報知システム。
【００８５】
（付記１０）前記親局無線装置がその下位ノードと通信する通信周波数と、前記中継局がその下位ノードと通信する通信周波数とが異なる付記９に記載の報知システム。
【００８６】
（付記１１）報知システムを構成する中継ノードにおける報知方法であって、操作制御ノードの送信した報知指示の上位ノードからの受信に基づいて、自ノードの配下に繋がる下位ノードに前記報知指示を中継し、前記報知指示に基づく報知制御に関する収集データを、全ての前記下位ノードから収集したかを判定し、前記全ての下位ノードから前記収集データを収集した場合であって上位ノードが他のノードと通信していない場合に、前記収集データを前記上位ノードへ転送する報知方法。
【００８７】
（付記１２）報知システムを構成する中継ノードのコンピュータを、操作制御ノードの送信した報知指示の上位ノードからの受信に基づいて、自ノードの配下に繋がる下位ノードに前記報知指示を中継する中継手段、前記報知指示に基づく報知制御に関する収集データを、全ての前記下位ノードから収集したかを判定する収集結果判定手段、前記全ての下位ノードから前記収集データを収集した場合であって上位ノードが他のノードと通信していない場合に、前記収集データを前記上位ノードへ転送する収集データ転送手段、として機能させるプログラム。
【符号の説明】
【００８８】
１・・・操作卓、２・・・親局無線装置、３・・・中継局、４・・・再送信子局、５・・・子局、１１・・・制御部、１２・・・記憶部、１３・・・通信部、１４・・・入力部、２１・・・制御部、２２・・・記憶部、２３・・・通信部、２４・・・中継部、２５・・・収集結果判定部、２６・・・収集データ転送部、３１・・・制御部、３２・・・記憶部、３３・・・通信部、３４・・・中継部、３５・・・収集結果判定部、３６・・・収集データ転送部、４１・・・制御部、４２・・・記憶部、４３・・・通信部、４４・・・中継部、４５・・・収集結果判定部、４６・・・収集データ転送部、４７・・・放送部、４８・・・異常検出部、４９・・・収集データ生成部、５１・・・制御部、５２・・・記憶部、５３・・・通信部、５４・・・放送部、５５・・・異常検出部、５６・・・収集データ生成部、５７・・・収集データ送信部、１００・・・防災無線システム
【図１】
2019161581.tif 000003
【図２】
2019161581.tif 000004
【図３】
2019161581.tif 000005
【図４】
2019161581.tif 000006
【図５】
2019161581.tif 000007
【図６】
2019161581.tif 000008
【図７】
2019161581.tif 000009
【図８】
2019161581.tif 000010
【図９】
2019161581.tif 000011
【図１０】
2019161581.tif 000012
【図１１】
2019161581.tif 000013
【図１２】
2019161581.tif 000014
【図１３】
2019161581.tif 000015
【図１４】
2019161581.tif 000016